(57)【要約】【課題】  ＦＲＰブーム又はＦＲＰライニングブームを摺接支持するスライドプレートの摺接面の面積が大きくとれ、且つその支持面圧の均等化が図れることにより、温度上昇によるＦＲＰ部分の亀裂・損傷の恐れのない高所作業車の伸縮ブームを提供する。【解決手段】  ＦＲＰブーム又はＦＲＰライニングブーム１３の断面外側形状は互いに平行な側面部２０と下方に凸形状となる下面部２１とを備える一方、前記ＦＲＰブーム又はＦＲＰライニングブーム１３が嵌挿される外側ブーム１２の先端下面部２４内面には前記ＦＲＰライニングブーム１３の下面部２１を摺接支持するスライドプレート２５を配置した。【選択図】        図４
2006298575.tif 000002
【特許請求の範囲】
【請求項１】
その断面全体をＦＲＰで構成したＦＲＰブームを、伸縮ブームの一部のブーム段として含む高所作業車の伸縮ブームにおいて、
上記ＦＲＰブームの断面外側形状は互いに平行な側面部と下方に凸形状となる下面部とを備える一方、前記ＦＲＰブームが嵌挿される外側ブームの先端下面部内面には前記ＦＲＰブームの下面部を摺接支持するスライドプレートを配置したことを特徴とする高所作業車の伸縮ブーム。
【請求項２】
鋼板製ブームの表面をＦＲＰでライニングしたＦＲＰライニングブームを、伸縮ブームの一部のブーム段として含む高所作業車の伸縮ブームにおいて、
上記ＦＲＰライニングブームの断面外側形状は互いに平行な側面部と下方に凸形状となる下面部とを備える一方、前記ＦＲＰライニングブームが嵌挿される外側ブームの先端下面部内面には前記ＦＲＰライニングブームの下面部を摺接支持するスライドプレートを配置したことを特徴とする高所作業車の伸縮ブーム。
【請求項３】
前記ＦＲＰブーム又はＦＲＰライニングブームの下面部の形状は、下方に突出した等脚台形である一方、前記外側ブーム先端の下面部内面には前記等脚台形の斜辺部分を摺接支持するスライドプレートを配置したことを特徴とする請求項１又は２記載の高所作業車の伸縮ブーム。
【請求項４】
前記外側ブーム先端の側面部内面には、前記ＦＲＰブーム又はＦＲＰライニングブームの側面部を摺接支持するスライドプレートを配置したことを特徴とする請求項１又は２記載の高所作業車の伸縮ブーム。
【発明の詳細な説明】
【技術分野】
【０００１】
本発明は、ＦＲＰを用いたブームを伸縮ブームの一部のブーム段として含む高所作業車の伸縮ブームに関するものである。
【背景技術】
【０００２】
電気工事に用いられる高所作業車は、伸縮ブーム先端に設置された作業台が活線に触れることもあるため、伸縮ブームに電気的絶縁性が要求される。そのため、伸縮ブームを構成する一部のブーム段を電気的絶縁性に優れたＦＲＰで構成する技術が採用されている。伸縮ブームの一部のブーム段をＦＲＰで構成するものとして、その断面全体をＦＲＰで構成したもの（以下、「ＦＲＰブーム」という。）と、鋼板製ブームの表面をＦＲＰでライニングしたもの（以下、「ＦＲＰライニングブーム」という。）が知られている。
【０００３】
ＦＲＰブームを伸縮自在に嵌挿した伸縮ブームのスライド装置として、外側ブームの先端内面にＦＲＰブームのコーナー部外面に対応した形状のスライドプレートをＦＲＰブームのコーナー部外面と当接するように取り付けたものが知られている（例えば、特許文献１参照。）。
【０００４】
図５（ｂ）は、特許文献１に記載された伸縮ブーム４のオーバーラップ部分の断面図であり、図５（ａ）は、その伸縮ブーム４のスライド装置の部分拡大図である。先端ブーム４ｃ及び先端ブーム４ｃが嵌挿される中間ブーム４ｂは断面がそれぞれ略相似形の矩形である。先端ブーム４ｃは電気的絶縁性を目的としてＦＲＰの素材により断面全体が形成され、各コーナー部Ｃには丸みが付けられている。８は中間ブーム４ｂ先端内側の四隅に設けられたスライドプレートであって、該スライドプレート８の形状は摺動面Ｆが先端ブーム４ｃの外側コーナー部Ｃに対応した丸みを付けた形状とし、先端ブーム４ｃの各コーナー部に当接するように位置している。
【特許文献１】実開平４−３４２９７号全文公報（第５−７頁、第１図）
【発明の開示】
【発明が解決しようとする課題】
【０００５】
広く知られているように、ＦＲＰはプラスチックを主要成分としており温度上昇に弱いため、ＦＲＰを用いたブームをスライドプレートで支持する場合、摩擦熱による温度上昇の管理が必要となる。温度上昇をできるだけ押さえるためには、スライドプレートが支持する摺接面の面積を大きくとるとともに、その面圧の均等化を図り最大面圧が極力低くなるようにするのが有効である。
【０００６】
ところが、図５（ａ）に示す特許文献１に記載された先端ブーム４ｃのコーナー部Ｃ近傍は断面の剛性が高いため、対応するスライドプレート８コーナー部Ｃ近傍の摺接面の面圧が高くなる傾向にあった。また、先端ブーム４ｃの下面部は直線形状であるため、その中央に近づくにつれて剛性が低くなり、スライドプレート８との摺接面の面圧が低下する傾向があった。
【０００７】
そのため、中間ブーム４ｂに対して先端ブーム４ｃを伸縮動作させると、グリスによる潤滑が施されていても面圧が高いコーナー部Ｃでは摩擦による温度上昇が起き、先端ブーム４ｃを構成するＦＲＰの対応する部分に亀裂・損傷が発生する恐れがあった。
【０００８】
そこで、本発明は、ＦＲＰブーム又はＦＲＰライニングブームにおいて、その断面形状を最適なものとすると共にその断面形状に適合したスライドプレート支持構造を採用することにより、そのＦＲＰブーム又はＦＲＰライニングブームを摺接支持するスライドプレートの摺接面の面積が大きくとれ、且つその支持面圧の均等化が図れる高所作業車の伸縮ブームを提供しようとするものである。
【課題を解決するための手段】
【０００９】
本願の請求項１に記載された高所作業車の伸縮ブームは、その断面全体をＦＲＰで構成したＦＲＰブームを、伸縮ブームの一部のブーム段として含む高所作業車の伸縮ブームを対象とする。そして、上記ＦＲＰブームの断面外側形状は互いに平行な側面部と下方に凸形状となる下面部とを備える一方、前記ＦＲＰブームが嵌挿される外側ブームの先端下面部内面には前記ＦＲＰブームの下面部を摺接支持するスライドプレートを配置したことを特徴とする。
【００１０】
さらに、本願の請求項２に記載された高所作業車の伸縮ブームは、鋼板製ブームの表面をＦＲＰでライニングしたＦＲＰライニングブームを、伸縮ブームの一部のブーム段として含む高所作業車の伸縮ブームを対象とする。そして、上記ＦＲＰライニングブームの断面外側形状は互いに平行な側面部と下方に凸形状となる下面部とを備える一方、前記ＦＲＰライニングブームが嵌挿される外側ブームの先端下面部内面には前記ＦＲＰライニングブームの下面部を摺接支持するスライドプレートを配置したことを特徴とする。
【００１１】
また、本願の請求項３に記載された高所作業車の伸縮ブームは、請求項１又は２記載の前記ＦＲＰブーム又はＦＲＰライニングブームの下面部の形状は、下方に突出した等脚台形である一方、前記外側ブーム先端の下面部内面には前記等脚台形の斜辺部分を摺接支持するスライドプレートを配置したことを特徴とする。
【００１２】
また、本願の請求項４に記載された高所作業車の伸縮ブームは、請求項１又は２記載の前記ＦＲＰブーム又はＦＲＰライニングブームの側面部を摺接支持するスライドプレートを配置したことを特徴とする。
【発明の効果】
【００１３】
請求項１記載の高所作業車の伸縮ブームは、上記ＦＲＰブームの断面外側形状を互いに平行な側面部と下方に凸形状となる下面部とを備える形状としたので、当該下面部の剛性が高いものとなる。そして、上記下面部をスライドプレートで摺接支持するようにしたので、スライドプレート摺接面の面圧の均等化を図ることができる。また、摺接面の面圧均等化が図られることにより、結果として有効に支持できる部分を拡大できることとなり、スライドプレート摺接面の面積を大きくすることもできる。
【００１４】
請求項２記載の高所作業車の伸縮ブームは、上記ＦＲＰライニングブームの断面外側形状を互いに平行な側面部と下方に凸形状となる下面部とを備える形状としたので、当該下面部の剛性が高いものとなる。そして、上記下面部をスライドプレートで摺接支持するようにしたので、スライドプレート摺接面の面圧の均等化を図ることができる。また、摺接面の面圧均等化が図られることにより、結果として有効に支持できる部分を拡大できることとなり、スライドプレート摺接面の面積を大きくすることもできる。
【００１５】
請求項３記載に記載されたＦＲＰブーム又はＦＲＰライニングブームの下方に突出した等脚台形の下面部の形状は、従来の矩形断面に比べて下面部に折れ曲がり部分を２ヶ所追加するだけで容易に形成することができる。したがって、ＦＲＰブーム又はＦＲＰライニングブームの外側断面形状として適当なものであり、その実施にあたっての技術的な困難さが無く、また大きな設備変更を伴うことも無い。
【００１６】
請求項４に記載された高所作業車の伸縮ブームは、前記外側ブームの側面部内面に前記ＦＲＰブーム又はＦＲＰライニングブームの側面部を摺接支持するスライドプレートを配置したので、前記ＦＲＰブーム又はＦＲＰライニングブームの側面部の断面変形を押さえることができる。それによって、上記側面部につながる下面部の変形も押さえることとなるので、下面部を摺接支持するスライドプレートの摺接面の面圧をよりいっそう均等化することができる。
【発明を実施するための最良の形態】
【００１７】
図１に、本発明の実施の形態に係る伸縮ブームを使用した高所作業車Ｘを示す。高所作業車Ｘは、アウトリガ２を備えた車両部１に旋回自在に旋回台３を搭載し、当該旋回台３に起伏自在に伸縮ブーム６を枢着している。伸縮ブーム６と旋回台３との間には起伏シリンダ５が介装されており、当該起伏シリンダ５によって伸縮ブーム６は起伏動作するようになっている。伸縮ブーム６の先端には作業台１１が首振り自在に連結されている。作業台１１はレベリング装置（図示なし）によって、伸縮ブーム６の起伏動作に関係なくその水平姿勢が維持されるようになっている。
【００１８】
前記伸縮ブーム６は、ベースブーム１１にセカンドブーム１２が嵌挿され、セカンドブーム１２にトップブーム１３が嵌挿されて構成された３段ブームである。伸縮ブーム６内には、伸縮装置（図示なし）が内蔵されており、該伸縮装置によって伸縮ブーム６は伸縮動作が可能となっている。上述した伸縮ブーム６を構成する各段ブームのうち、トップブーム１３がＦＲＰライニングブームとなっている。
【００１９】
図２はＦＲＰライニングブーム１３（トップブーム）のみを取り出して説明する図である。ＦＲＰライニングブーム１３は鋼板製のブーム１４のブーム先端部１４ａ及びブーム基端部１４ｂを除いたブーム中間部１４ｃを断面外側全周に渡ってＦＲＰ１５でライニングしたものである。ＦＲＰライニング層の厚さは数ミリ程度であり、このＦＲＰライニングにより伸縮ブーム６の電気的絶縁性が達成される。
【００２０】
図３は前記伸縮ブーム６が全縮小したときの先端部の拡大図である。図４は図３のＡ矢視断面図であって、セカンドブーム１２の先端部１６の断面詳細図である。ＦＲＰライニングブーム１３（トップブーム）は鋼製ブーム１４ｃの表面がＦＲＰ１５（斜線部）でライニングされている。ＦＲＰライニングブーム１３の断面外側形状は、互いに平行な側面部２０と下方に突出した等脚台形である下面部２１とを備えている。その下面部２１の等脚台形は両側の斜辺部分２２がなだらかな角度で長く形成され、中央部の台形頂部２３は短く形成され、全体として下方に凸形状となっている。
【００２１】
２５は前記ＦＲＰライニングブーム１３の下面部２１の斜辺部２２を摺接支持するスライドプレートである。スライドプレート２５はリテイナー２６を介してセカンドブーム先端部１６の下面部２４内面にボルト２７によって固定配置されている。図４に示されたようにスライドプレート２５の幅寸法は前記斜辺部２２の長さとほぼ同じとなっている。
【００２２】
ＦＲＰライニングブーム１３の下面部２１は下方に凸形状となっているので、当該下面部２１をスライドプレート２５で摺接支持した場合には、その断面形状の剛性が高いものとなる。したがって、スライドプレート２５の摺接面の面圧が均一化されることとなる。また、上述したようにスライドプレートの幅寸法を大きくとることができるので、その面圧を低くすることも可能となっている。したがって、外側ブーム(セカンドブーム１２)に対してＦＲＰライニングブーム１３（トップブーム）を伸縮動作させても、スライドプレート２５の摺接面での摩擦による温度上昇が起きにくいものとなる。そのため、ＦＲＰライニイグブーム１３のＦＲＰ１５において、温度上昇による亀裂・損傷が発生する恐れが無くなるのである。
【００２３】
３０は前記ＦＲＰライニングブーム１３の側面部１５を摺接支持するスライドプレートである。スライドプレート３０はリテイナー３１を介してセカンドブーム先端部１６の側面部３２の内面にボルト２７によって固定配置されている。スライドプレート３０が摺接支持する位置はＦＲＰライニングブーム１３の側面部１５の下方であって、下面部２１との折り曲げ部３３の近傍となっている。
【００２４】
図４に示したように、スライドプレート３０によってＦＲＰライニングブーム１３の側面部１５を摺接支持したので、側面部１５の断面変形を押さえることができる。それによって、上記側面部１５につながる下面部２１の変形も押さえることとなるので、下面部２１を摺接支持するスライドプレート２５の摺接面の面圧をよりいっそう均等化することができる。
【００２５】
以上の実施の形態では、伸縮ブーム６の一部のブーム段としてＦＲＰライニングブーム１３を含む場合を説明したが、ＦＲＰライニングブームの代わりにＦＲＰブームを含む場合であっても全く同様に本願発明の伸縮ブームを構成することができるとともに、全く同じ効果を得ることができることは勿論である。
【図面の簡単な説明】
【００２６】
【図１】本発明の実施の形態に係る伸縮ブームを使用した高所作業車Ｘである。
【図２】ＦＲＰライニングブーム１３のみを取り出して説明する図である。
【図３】伸縮ブーム６が全縮小したときの先端部の拡大図である。
【図４】図３のＡ矢視断面図である。
【図５】特許文献１に記載された伸縮ブーム４のオーバーラップ部分の断面図（ｂ）及びスライド装置の部分拡大図（ａ）である。
【符号の説明】
【００２７】
６：伸縮ブーム
１３：ＦＲＰライニングブーム
１４：鋼板製ブーム
１５：ＦＲＰ
２０：側面部
２１：下面部
２２：斜辺部
２４：外側ブーム先端下面部
２５：スライドプレート
３０：スライドプレート
３２：外側ブーム先端側面部
Ｘ：高所作業車
【図１】
2006298575.tif 000003
【図２】
2006298575.tif 000004
【図３】
2006298575.tif 000005
【図４】
2006298575.tif 000006
【図５】
2006298575.tif 000007